(57)【特許請求の範囲】
【請求項１】
ベースと、ロータ，ヨーク，コイル又はコイルを巻回した枠部材によりそれぞれ構成されて前記ベースの所定位置に配置される複数の電磁アクチュエータと、前記複数の電磁アクチュエータを前記ベースに対して固定する固定手段と、を備えた電磁アクチュエータ装置であって、
前記固定手段は、前記複数の電磁アクチュエータを前記ベースに向けて同時に押さえ込む一つの押え部材と、前記押え部材を前記ベースに連結する連結手段を有し、
前記押え部材は、前記複数の電磁アクチュエータを前記ベースに配置した後に、前記複数の電磁アクチュエータの枠部材又はヨークを押し付ける複数の押圧部と、前記複数の電磁アクチュエータの少なくともコイルの一部を露出させる複数の切り欠き部を有する、
ことを特徴とする電磁アクチュエータ装置。
【請求項２】
前記ベースは、露光用の開口部を有しかつ前記開口部を開閉又は絞る羽根を支持する地板であり、
前記複数の電磁アクチュエータは、前記開口部の周りに沿って配列され、
前記押え部材は、前記開口部の周りに沿って湾曲して形成されている、
ことを特徴とする請求項１記載の電磁アクチュエータ装置。
【請求項３】
前記連結手段は、前記ベースと押え部材とに形成されたスナップフィット構造を含む、
ことを特徴とする請求項１又は２に記載の電磁アクチュエータ装置。
【請求項４】
前記複数の電磁アクチュエータは、異なるタイプの電磁アクチュエータを含む、
ことを特徴とする請求項１ないし３いずれかに記載の電磁アクチュエータ装置。
【請求項５】
前記ベースは、前記電磁アクチュエータを所定の位置に位置決めする位置決め部を有する、
ことを特徴とする請求項１ないし４いずれかに記載の電磁アクチュエータ装置。
【発明の詳細な説明】
【０００１】
【発明の属する技術分野】
本発明は、共通のベースに対して複数の電磁アクチュエータを固定した電磁アクチュエータ装置に関し、特に、露光用の開口部を開閉又は絞るカメラ用のシャッタ羽根又は絞り羽根を駆動する複数の電磁アクチュエータを共通の地板に固定した電磁アクチュエータ装置に関する。
【０００２】
【従来の技術】
シャッタ羽根又は絞り羽根等を駆動する従来の電磁アクチュエータとしては、例えば、図１４に示すように、所定の角度範囲を電磁力により往復動するムービングマグネットモータが知られている。このモータは、図１４に示すように、永久磁石をもつロータ１、ロータ１を回動自在に支持する下側枠部材２及び上側枠部材３、上側枠部材３の周りに取り付けられる円筒ヨーク４、上側枠部材３が下側枠部材２に組み付けられた状態で上下方向に巻回されるコイル（不図示）等により形成されている。
そして、下側枠部材２に設けられたフランジ部２ａの取り付け孔２ａ´にネジ５が挿入され、ベースとしての地板６に形成された取り付け部６ａに螺合されることで、モータが地板６に固定される構造となっている。
【０００３】
【発明が解決しようとする課題】
ところで、上記のようなモータは、フランジ部２ａ及びネジ５を介して個々に固定される構造となっているため、特に、露光用の開口部６ｂの周りにおいて複数のモータを配列して固定しようとすると、個々に取り付け部６ａが必要になり、モータ相互の間隔も離れて、装置の大型化を招くという問題があった。
【０００４】
また、略コ字状に形成された板状のヨーク及びその間に配置されたロータをもつタイプの電磁アクチュエータ（モータ）の如く、上記モータとは異なるタイプの電磁アクチュエータも一緒に配列して固定しようとすると、それぞれ個別の取り付け及び固定構造を設ける必要があり、開口部６ｂの周りにおけるスペースが有効に活用されず、装置のより一層の大型化を招くという問題があった。
【０００５】
本発明は、上記の点に鑑みて成されたものであり、その目的とするところは、共通のベース、特に露光用の開口部をもつ地板等に対して、複数の電磁アクチュエータを配列して固定するにあたり、電磁アクチュエータの集約化（集積化）を図り、電磁アクチュエータそれぞれが占めるスペースを極力小さくし、装置全体の小型化、部品点数の削減、低コスト化等が図れる電磁アクチュエータ装置を提供することにある。
【０００６】
【課題を解決するための手段】
本発明の電磁アクチュエータ装置は、ベースと、ロータ，ヨーク，コイル又はコイルを巻回した枠部材によりそれぞれ構成されてベースの所定位置に配置される複数の電磁アクチュエータと、複数の電磁アクチュエータをベースに対して固定する固定手段とを備えた電磁アクチュエータ装置であって、上記固定手段は、複数の電磁アクチュエータをベースに向けて同時に押さえ込む一つの押え部材と、押え部材をベースに連結する連結手段を有し、押え部材は、複数の電磁アクチュエータをベースに配置した後に、複数の電磁アクチュエータの枠部材又はヨークを押し付ける複数の押圧部と、複数の電磁アクチュエータの少なくともコイルの一部を露出させる複数の切り欠き部を有する、ことを特徴としている。
この構成によれば、ベース上に複数の電磁アクチュエータを配置し、その上から押え部材の複数の押圧部（例えば、押圧突起又は押圧凸部）を近づけて、切り欠き部を通してコイルの一部を露出させつつ複数の電磁アクチュエータを同時に押さえ込むと共に、連結手段により押え部材をベースに連結することで、全ての電磁アクチュエータが同時に固定される。このように、一つの押え部材により複数の電磁アクチュエータを固定することができるため、個々に設けられた取り付け及び固定構造を採用する場合に比べて、部品点数の削減、集約化による配置スペースの幅狭化、装置の小型化等が行なえる。
【０００７】
上記構成において、ベースは、露光用の開口部を有しかつ開口部を開閉又は絞る羽根を支持する地板であり、複数の電磁アクチュエータは、開口部の周りに沿って配列され、押え部材は、開口部の周りに沿って湾曲して形成されている、構成を採用できる。
この構成によれば、露光用の開口部の周りにおいて、複数の電磁アクチュエータをお互いに近づけて（集約して）配置することができ、シャッタ又は絞り装置等の小型化、さらには、この装置が搭載されるカメラの小型化等が行なえる。
【０００８】
上記構成において、連結手段は、ベースと押え部材とに形成されたスナップフィット構造を含む、構成を採用できる。
この構成によれば、スナップフィット構造をベース及び押え部材に一体的に形成することができ、部品点数の削減、管理コストの低減、組み付け作業の簡略化及び容易化等が行なえる。
【０００９】
上記構成において、複数の電磁アクチュエータは、異なるタイプの電磁アクチュエータを含む、構成を採用できる。
この構成によれば、異なるタイプの電磁アクチュエータそれぞれの取り付け及び固定構造を用いる場合に比べて、配置スペースをより一層有効に利用することができ、装置をより一層小型化できる。
【００１０】
上記構成において、ベース（あるいは地板）は、電磁アクチュエータを所定の位置に位置決めする位置決め部を有する、構成を採用できる。
この構成によれば、組み付け作業において、位置決め部を用いて、予め電磁アクチュエータをベースの所定位置に位置決めし、その後、押え部材を用いて固定することができる。したがって、組み付けを高精度に行ないつつ、組み付け作業を容易に行なえる。
【００１１】
【発明の実施の形態】
以下、本発明の実施の形態について、添付図面を参照しつつ説明する。
図１ないし図５は、本発明に係る電磁アクチュエータ装置の一実施形態を示すものであり、図１は装置の平面図、図２は装置の内部構造を示す平面図、図３は電磁アクチュエータを示す分解斜視図、図４は装置の展開断面図である。
【００１２】
この装置は、図１に示すように、ベースとしての地板１０、地板１０の所定位置に配置される電磁アクチュエータ２０、電磁アクチュエータ３０、固定手段の一部をなす一つの押え部材４０等を備えている。ここで、電磁アクチュエータ２０は、所定の口径をもつ絞り羽根Ｓ１を駆動するために、又、電磁アクチュエータ３０は、シャッタ羽根Ｓ２を駆動するために、用いられるものである。
【００１３】
地板１０は、図１及び図２に示すように、円板の一部が欠けた形状をなし、略中央部に露光用の開口部１０ａを有し、その上面側で開口部１０ａの周りには、図２及び図５に示すように、電磁アクチュエータ２０を位置決めする位置決め部としての２つの嵌合孔１１、電磁アクチュエータ３０を位置決めする位置決め部としての支持軸１２、嵌合ピン１３、装着溝１４、連結手段（固定手段）の一部をなすスナップフック１５及び被掛止部１６、取り付けボス部１７等が設けられている。
【００１４】
一方、地板１０の背面側（下面側）で開口部１０ａの周りには、図１及び図５に示すように、絞り羽根Ｓ１を回動自在に支持する支持軸１８、２枚のシャッタ羽根Ｓ２をそれぞれ回動自在に支持する２つの支持軸１９、シャッタ羽根Ｓ２の移動範囲を規制するストッパ（不図示）、絞り羽根Ｓ１の移動範囲を規制するストッパ（不図示）等が設けられている。
【００１５】
尚、地板１０の背面側には、カバー板５０が対向して配置され、スナップフック１５´及びネジ５１等により結合されている。そして、両者の間に、絞り羽根Ｓ１及びシャッタ羽根Ｓ２を回動自在に収容する羽根室Ｗを画定している。
【００１６】
電磁アクチュエータ２０は、所定の角度範囲を電磁力により往復動するムービングマグネットモータであり、図３及び図５に示すように、円柱状の外輪郭をなしＮ極及びＳ極に着磁された永久磁石２１ａ及び駆動ピン２１ｂをもつロータ２１、ロータ２１を回動自在に支持する下側枠部材２２及び上側枠部材２３、上側枠部材２３の周りに取り付けられる円筒ヨーク２４、上側枠部材２３が下側枠部材２２に組み付けられた状態で上下方向に巻回されるコイル２５等により形成されている。
【００１７】
下側枠部材２２には、図３及び図５に示すように、比較的幅狭で上面が平坦な２つのフランジ２２ａが形成され、その下側面にはそれぞれ位置決めピン２２ｂが形成されている。２つの位置決めピン２２ｂは、地板１０の位置決め部としての嵌合孔１１にそれぞれ嵌合されるものである。
【００１８】
尚、電磁アクチュエータ２０は、ロータ２１を回動自在に取り付けた状態で上側枠部材２３を下側枠部材２２に連結して固定し、コイル２５を巻回した後に円筒ヨーク２４を嵌着し、モージュール品として取り扱えるものである。したがって、組み付けの際には、モジュール品として地板１０に対しての取り付けが行なわれる。また、上記のように、下側枠部材２２には、従来のようなネジ用の孔が設けられていないため、フランジ２２ａの幅を狭くでき、全体として幅狭化及び小型化されている。
【００１９】
電磁アクチュエータ３０は、前述の電磁アクチュエータ２０とは異なるタイプの電磁アクチュエータであり、図２及び図５に示すように、第１磁極部３１ａ及び第２磁極部３１ｂをもつコ字状の上側ヨーク３１、第１磁極部３２ａ、第２磁極部３２ｂ、及び補助磁極片３２ｃをもつ下側ヨーク３２、上側ヨーク３１及び下側ヨーク３２の周りに巻回されたコイル３３、第１磁極部３１ａ，３２ａと第２磁極部３１ｂ，３２ｂとの間に回動自在に配置されたロータ３４等により形成されている。
【００２０】
下側ヨーク３２及び上側ヨーク３１は、図２及び図５に示すように、嵌合孔３２´，３１´を有し、この嵌合孔３２´，３１´に嵌合ピン１３を通すように、かつ、第２磁極部３１ｂ，３２ｂ側の直線部が装着溝１４に嵌合されるようにして、地板１０の所定位置に位置決めされつつ配置される。
ロータ３４は、円柱状の外輪郭をなしＮ極及びＳ極に着磁された永久磁石３４ａ及び駆動ピン３４ｂを有し、その中心孔３４ｃに支持軸１２を通すように取り付けられることで、地板１０の所定位置に位置決めされると共に回動自在に支持される。
【００２１】
そして、電磁アクチュエータ２０及び電磁アクチュエータ３０は、図２に示すように、開口部１０ａの周りにおいてその周方向に沿うように、かつ、お互いに近づけて配列されている。このように、配列されることにより、開口部１０ａの周りのスペースが無駄なく有効に利用され、両者が開口部１０ａの中心寄りに集約（集積）されることで、全体として小型化されている。
尚、ここでは、電磁アクチュエータ２０と電磁アクチュエータ３０との間に、連結用の取り付けボス部１７を設けたが、この取り付けボス部１７を廃止すれば、両者をさらに近づけて配置することができ、装置をより一層小型化できる。
【００２２】
押え部材４０は、図４及び図５に示すように、その外輪郭が開口部１０ａの周りにおいて周方向に沿うように湾曲して形成されており、電磁アクチュエータ２０の円筒ヨーク２４を逃げる切り欠き部４１、電磁アクチュエータ３０のコイル３３（及びボビン）を逃げる切り欠き部４２、支持軸１２を通す貫通孔４３、スナップフィット構造の一部をなすスナップフック４４等が一体的に形成されている。
【００２３】
押え部材４０の下側面（内側面）には、図５に示すように、電磁アクチュエータ２０のフランジ２２ａを押し付ける押圧突起４５、電磁アクチュエータ３０の上側ヨーク３１（及び下側ヨーク３２）を押し付ける押圧凸部４６が形成されている。また、押え部材４０の一端側の外縁部には、スナップフィット構造の一部をなして、スナップフック１５に掛止される被掛止部４７が一体的に形成されている。さらに、押え部材４０の他端側及び略中央部には、連結用のネジ６０を挿入する貫通孔４８が形成されている。
【００２４】
上記の構成においては、押え部材４０に形成されたスナップフック４４及び地板１０に形成された被掛止部１６と、押え部材４０に形成された被掛止部４７及び地板１０に形成されたスナップフック１５とにより、押え部材４０を地板１０に連結する連結手段としてのスナップフィット構造が形成されている。このように、スナップフィット構造を採用することにより、組み付けが容易になる。
【００２５】
次に、この装置における地板１０、２つの電磁アクチュエータ２０，３０、押え部材４０の組み付け手順について説明する。
先ず、図２に示すように、地板１０の所定位置に電磁アクチュエータ２０及び電磁アクチュエータ３０が配置される。このとき、電磁アクチュエータ２０は、下側枠部材２２の位置決めピン２２ｂが地板１０の嵌合孔（位置決め部）１１に嵌合されることで、所定位置に高精度に位置決めされる。
また、電磁アクチュエータ３０は、ロータ３４が支持軸１２に外嵌され、上側ヨーク３１及び下側ヨーク３２の嵌合孔３１´，３２´が嵌合ピン（位置決め部）１３に外嵌され、さらに、その一部が装着溝１４にはめ込まれることで、所定位置に高精度に位置決めされる。
【００２６】
続いて、押え部材４０が、２つの電磁アクチュエータ２０，３０の上方から近づけられて、押圧突起４５が電磁アクチュエータ２０のフランジ２２ａの上面を押し付けるように、又、押圧凸部４６が電磁アクチュエータ３０の上側ヨーク３１を押し付けるように配置され、被掛止部４７がスナップフック１５に掛止され、スナップフック４４が被掛止部１６に掛止される。これにより、押え部材４０は２つの電磁アクチュエータ２０，３０を同時に押さえ込んで固定すると共に地板１０に連結される。
【００２７】
最後に、ネジ６０が貫通孔４８を通して取り付けボス部１７に螺合されることにより、押え部材４０はより確実に地板１０に締結されることになる。尚、ここでは、ネジ６０及び取り付けボス部１７を採用したが、この代わりに、前述同様のスナップフィット構造を採用することも可能である。
【００２８】
上記の装置においては、２つの電磁アクチュエータ２０，３０を一つの押え部材４０により固定するため、それぞれに固定する場合に比べて部品点数を削減でき、又、電磁アクチュエータ２０そのものを小型化（幅狭化）でき、それ故に、複数の電磁アクチュエータ２０，３０を開口部１０ａの近傍に集約して配置することができる。これにより、装置全体の小型化、部品の削減による低コスト化等を行なえる。
【００２９】
図６ないし図９は、本発明に係る電磁アクチュエータ装置の他の実施形態を示すものである。尚、前述の実施形態と同一の構成については、同一の符号を付してその説明を省略する。
この装置は、図６に示すように、ベースとしての地板１０、地板１０の所定位置に配置される同一タイプの２つの電磁アクチュエータ２０、１つの電磁アクチュエータ３０、固定手段の一部をなす一つの押え部材４０´等を備えている。ここで、追加された電磁アクチュエータ２０は、異なる口径をもつ絞り羽根Ｓ１´を駆動するために用いられるものである。
【００３０】
地板１０には、図９に示すように、その上面側で開口部１０ａの周りにおいて、２つの電磁アクチュエータ２０を位置決めする位置決め部としての４つの嵌合孔１１、１つの電磁アクチュエータ３０を位置決めする位置決め部としての支持軸１２、嵌合ピン１３、装着溝１４、連結手段の一部をなす２つのスナップフック１５、被掛止部１６、取り付けボス部１７等が設けられている。
【００３１】
そして、２つの電磁アクチュエータ２０及び１つの電磁アクチュエータ３０は、図７に示すように、開口部１０ａの周りにおいてその周方向に沿うように、かつ、お互いに近づけて配列されている。このように、配列されることにより、開口部１０ａの周りのスペースが無駄なく有効に利用され、それぞれが開口部１０ａの中心寄りに集約（集積）されることで、全体として小型化されている。
【００３２】
尚、ここでは、２つの電磁アクチュエータ２０同士の間、及び１つの電磁アクチュエータ２０と電磁アクチュエータ３０との間に、連結用の取り付けボス部１７を設けたが、この取り付けボス部１７を廃止して、前述のスナップフィット構造を採用すれば、３つの電磁アクチュエータ２０，３０をさらに近づけて配置することができ、装置をより一層小型化できる。
【００３３】
押え部材４０´は、図８に示すように、その外輪郭が開口部１０ａの周りにおいて周方向に沿うように湾曲して形成されており、２つの電磁アクチュエータ２０の円筒ヨーク２４を逃げる２つの切り欠き部４１、１つの電磁アクチュエータ３０のコイル３３（及びボビン）を逃げる切り欠き部４２、支持軸１２を通す貫通孔４３、スナップフィット構造の一部をなすスナップフック４４等が一体的に形成されている。
【００３４】
押え部材４０´の下側面（内側面）には、図９に示すように、２つの電磁アクチュエータ２０のフランジ２２ａを押し付ける４つの押圧突起４５、１つの電磁アクチュエータ３０の上側ヨーク３１（及び下側ヨーク３２）を押し付ける押圧凸部４６が形成されている。
また、押え部材４０´の両端側の外縁部には、スナップフィット構造の一部をなして、スナップフック１５に掛止される２つの被掛止部４７が一体的に形成されている。さらに、押え部材４０´の他端側及び略中央部には、連結用のネジ６０を挿入する２つの貫通孔４８が形成されている。
【００３５】
上記の装置においては、３つの電磁アクチュエータ２０，３０を一つの押え部材４０´により固定するため、それぞれに固定する場合に比べて部品点数を削減でき、又、電磁アクチュエータ２０そのものを小型化（幅狭化）でき、それ故に、複数の電磁アクチュエータ２０，３０を開口部１０ａの近傍に集約して配置することができる。これにより、装置全体の小型化、部品の削減による低コスト化等を行なえる。
【００３６】
また、組み付け作業の際にも、スナップフィット構造、位置決め部等の採用により、高精度に位置決めしつつ容易に組み付けることができる。尚、この装置における地板１０、３つの電磁アクチュエータ２０，３０、押え部材４０´の組み付け手順については、前述の実施形態と基本的に同一であるため、ここでの説明は省略する。
【００３７】
図１０ないし図１３は、本発明に係る電磁アクチュエータ装置のさらに他の実施形態を示すものである。尚、前述の実施形態と同一の構成については、同一の符号を付してその説明を省略する。
この装置は、図１０に示すように、ベースとしての地板１０、地板１０の所定位置に配置される電磁アクチュエータ３０、電磁アクチュエータ７０、固定手段の一部をなす一つの押え部材４０´´等を備えている。
【００３８】
地板１０には、図１１及び図１３に示すように、その上面側で開口部１０ａの周りにおいて、電磁アクチュエータ３０を位置決めする位置決め部としての支持軸１２、嵌合ピン１３、及び装着溝１４、電磁アクチュエータ７０を位置決めする位置決め部としての嵌合溝１１´及び突起１１´´、連結手段の一部をなすスナップフック１５、被掛止部１６、取り付けボス部１７等が設けられている。
【００３９】
電磁アクチュエータ７０は、ステップ駆動により回転駆動されるステップモータであり、前述の電磁アクチュエータ３０，２０とは異なるタイプの電磁アクチュエータである。
電磁アクチュエータ７０は、図１１及び図１３に示すように、第１磁極部７１ａ及び第２磁極部７１ｂをもつコ字状のヨーク７１、第１磁極部７２ａ及び第２磁極部７２ｂをもつコ字状のヨーク７２、ヨーク７１及びヨーク７２の周りに巻回されたコイル７３，７４、第１磁極部７１ａ，７２ａと第２磁極部７１ｂ，７２ｂとの間に回動自在に配置されたロータ７５等により形成されている。
そして、ロータ７５の歯車７５ａが絞り羽根Ｓ１´´の外周に形成された歯に噛合して絞り羽根Ｓ１´´を回動させるようになっている。尚、ロータ７５は、押え部材４０´´の軸受孔４９により予め回動自在に支持されている。
【００４０】
そして、電磁アクチュエータ３０及び電磁アクチュエータ７０は、図１１示すように、開口部１０ａの周りにおいてその周方向に沿うように、かつ、お互いに近づけて配列されている。このように、配列されることにより、開口部１０ａの周りのスペースが無駄なく有効に利用され、両者が開口部１０ａの中心寄りに集約（集積）されることで、全体として小型化されている。
【００４１】
尚、ここでは、電磁アクチュエータ３０と電磁アクチュエータ７０との間に、連結用の取り付けボス部１７を設けたが、この取り付けボス部１７を廃止して、前述のスナップフィット構造を採用すれば、電磁アクチュエータ３０，７０をお互いにさらに近づけて配置することができ、装置をより一層小型化できる。
【００４２】
押え部材４０´´は、図１２に示すように、その外輪郭が開口部１０ａの周りにおいて周方向に沿うように湾曲して形成されており、電磁アクチュエータ７０のコイル７３，７４（及びボビン）を逃げる２つの切り欠き部４１´´、電磁アクチュエータ３０のコイル３３（及びボビン）を逃げる切り欠き部４２、支持軸１２を通す貫通孔４３、スナップフィット構造の一部をなすスナップフック４４、軸受孔４９等が一体的に形成されている。
【００４３】
押え部材４０´´の下側面（内側面）には、図１３に示すように、電磁アクチュエータ７０のヨーク７１，７２を押し付ける押圧突起４５´、電磁アクチュエータ３０の上側ヨーク３１（及び下側ヨーク３２）を押し付ける押圧凸部４６が形成されている。
また、押え部材４０´´の一端側の外縁部には、スナップフィット構造の一部をなして、スナップフック１５に掛止される被掛止部４７が一体的に形成されている。さらに、押え部材４０´´の他端側及び略中央部には、連結用のネジ６０を挿入する２つの貫通孔４８が形成されている。
【００４４】
上記の装置においては、電磁アクチュエータ３０，４０を一つの押え部材４０´´により固定するため、それぞれに固定する場合に比べて部品点数を削減でき、それ故に、複数の電磁アクチュエータ３０，７０を開口部１０ａの近傍に集約して配置することができる。これにより、装置全体の小型化、部品の削減による低コスト化等を行なえる。
【００４５】
また、組み付け作業の際にも、スナップフィット構造、位置決め部等の採用により、高精度に位置決めしつつ容易に組み付けることができる。尚、この装置における地板１０、電磁アクチュエータ３０，７０、押え部材４０´´の組み付け手順については、前述の実施形態と同様であるため、説明を省略する。
【００４６】
上記実施形態においては、ベースとしての地板１０に対して、一つの押え部材４０，４０´，４０´´で固定する複数の電磁アクチュエータとして２個又は３個の電磁アクチュエータを示したが、これに限定されることなく、４個以上の電磁アクチュエータを一つの押え部材で固定することも可能である。
また、ベースとして、カメラのシャッタ羽根又は絞り羽根を駆動する電磁アクチュエータを支持すると共に露光用の開口部１０ａをもつ地板１０を示したが、これに限定されるものではなく、その他のベースを採用することができる。
さらに、電磁アクチュエータとしては、３種類のタイプを示したが、これに限定されるものではなく、その他のタイプの電磁アクチュエータを固定する場合においても、本発明の固定構造を採用することができる。
【００４７】
【発明の効果】
以上述べたように、本発明の電磁アクチュエータ装置によれば、ベースの所定位置に複数の電磁アクチュエータを固定するにあたり、複数の電磁アクチュエータを同時に押さえ込んで固定する一つの押え部材を設けたことにより、個々に固定する場合に比べて、部品点数の削減、集約化による配置スペースの幅狭化、装置の小型化等を行なえる。
特に、露光用の開口部の開閉又は絞りを行なう羽根を支持する地板に対して、複数の電磁アクチュエータを一つの押え部材で固定する場合は、開口部の周りにおいて複数の電磁アクチュエータを集約して配置することができ、シャッタ又は絞り装置等の小型化、この装置が搭載されるカメラの小型化等が行なえる。
【図面の簡単な説明】
【図１】本発明に係る電磁アクチュエータ装置の一実施形態を示す平面図である。
【図２】図１に示す装置の内部を示す平面図である。
【図３】図１に示す装置に用いられる電磁アクチュエータを示す分解斜視図である。
【図４】図１に示す装置における押え部材を示す平面図である。
【図５】図１に示す装置の展開断面図である。
【図６】本発明に係る電磁アクチュエータ装置の他の実施形態を示す平面図である。
【図７】図６に示す装置の内部を示す平面図である。
【図８】図６に示す装置における押え部材を示す平面図である。
【図９】図６に示す装置の展開断面図である。
【図１０】本発明に係る電磁アクチュエータ装置のさらに他の実施形態を示す平面図である。
【図１１】図１０に示す装置の内部を示す平面図である。
【図１２】図１０に示す装置における押え部材を示す平面図である。
【図１３】図１０に示す装置の展開断面図である。
【図１４】従来の電磁アクチュエータを示す分解斜視図である。
【符号の説明】
１０  地板（ベース）
１０ａ  露光用の開口部
１１  嵌合孔（位置決め部）
１１´  嵌合溝（位置決め部）
１１´´  突起（位置決め部）
１２  支持軸（位置決め部）
１３  嵌合ピン（位置決め部）
１４  嵌合溝（位置決め部）
１５  スナップフック（スナップフィット構造、連結手段）
１６  被掛止部（スナップフィット構造、連結手段）
２０  電磁アクチュエータ
２１  ロータ
２２ａ  フランジ
２２ｂ  位置決めピン
３０  電磁アクチュエータ
３１  上側ヨーク
３２  下側ヨーク
３１´，３２´  嵌合孔
４０，４０´，４０´´  押え部材（固定手段）
４４  スナップフック（スナップフィット構造、連結手段）
４５，４５´  押圧突起
４６  押圧凸部
４７  被掛止部（スナップフィット構造、連結手段）
７０  電磁アクチュエータ
７１，７２  ヨーク
７３，７４  コイル
７５  ロータ
【図１】
0003995443.tif 000002
【図２】
0003995443.tif 000003
【図３】
0003995443.tif 000004
【図４】
0003995443.tif 000005
【図５】
0003995443.tif 000006
【図６】
0003995443.tif 000007
【図７】
0003995443.tif 000008
【図８】
0003995443.tif 000009
【図９】
0003995443.tif 000010
【図１０】
0003995443.tif 000011
【図１１】
0003995443.tif 000012
【図１２】
0003995443.tif 000013
【図１３】
0003995443.tif 000014
【図１４】
0003995443.tif 000015